(57)【要約】【課題】釘調整をできなくしたり、或いは釘調整がされていたら直ぐに発見できるような弾球遊技機を提供する。【解決手段】遊技盤１に多数本の釘２が固植され、遊技盤１と透明板３との間に形成された空隙５を遊技球４が釘２に誘導されて流下する弾球遊技機において、透明板３に釘２の頭部２ａを移動不能に拘束する係止部３ａ〜３ｃを設けた。【選択図】図１
2017144042.tif 000002
【特許請求の範囲】
【請求項１】
遊技盤に多数本の釘が固植され、該遊技盤と透明板との間に形成された空隙を遊技球が前記釘に誘導されて流下する弾球遊技機において、前記透明板に前記釘の頭部を移動不能に拘束する係止部を設けたことを特徴とする弾球遊技機。
【請求項２】
係止部は釘の頭部に合致する窪孔であることを特徴とする請求項１に記載した弾球遊技機。
【請求項３】
係止部は釘が貫通する貫通孔であることを特徴とする請求項１に記載した弾球遊技機。
【請求項４】
透明板は２層に設けられ、その内側の透明板に係止部を設けたことを特徴とする請求項１〜３のいずれかに記載した弾球遊技機。
【請求項５】
内側の透明板の適宜個所にスリットを形成し、該スリットから球詰まりを解消させるための棒状体を挿し込み得るようにしたことを特徴とする請求項４に記載した弾球遊技機。
【請求項６】
透明板のズレを検知する手段を設けたことを特徴とする請求項１〜５のいずれかに記載した弾球遊技機。
【請求項７】
遊技盤面上に設けられた電動開閉入賞口、液晶表示装置、風車等の盤面部品を交換し得る開口を透明板に形成したことを特徴とする請求項１〜６のいずれかに記載した弾球遊技機。
【発明の詳細な説明】
【技術分野】
【０００１】
本発明は、多数本の釘が固植された遊技盤の前面と透明板との間隙に遊技球を流下させて楽しむパチンコ遊技機、アレンジボール遊技機等の弾球遊技機に関するものである。
【背景技術】
【０００２】
周知のように、パチンコ遊技機の遊技盤には遊技球を普通入賞口、始動入賞口、大入賞口またはアウト球排出口等へと導く多数本の釘が固植されている。
従来ではこの釘をペンチや金槌を使って曲げて傾斜させることにより、遊技球が誘導される方向を適宜調整（以下、釘調整という）し、遊技球が各入賞口へ入賞する難易度を調整していた。
【０００３】
ところが、このように釘を傾斜させる度合いによって遊技球が入賞する難易度を調整し得るようであると、その調整の如何によっては、特定の入賞口に遊技球を極めて入り易くしたり、その反対に入り難くすることが可能であるので、賭博性が著しく高くなる一方、遊技機本来の娯楽性が損なわれてしまうという問題がある。
【０００４】
なお、下記特許文献１には、こうした不当な釘調整がされていないかどうかを検査するために釘の傾斜角度を測定する測定用具が示されている。
【先行技術文献】
【特許文献】
【０００５】
【特許文献１】特開平９−９４３２７号公報
【特許文献２】特開２００６−３４９９９号公報
【発明の概要】
【発明が解決しようとする課題】
【０００６】
ところが、上記のような測定用具を使用したとしても、釘の微小な傾斜の有無を判定することは容易ではない。特に多数の弾球遊技機についてこのような検査を行なおうとすると大変な労力を要するので、不正な釘調整の有無を検査し監督することは容易ではないという問題がある。
本発明はこのような問題点を解消しようとするものである。
【課題を解決するための手段】
【０００７】
そのために本発明は、遊技盤に多数本の釘が固植され、該遊技盤と透明板との間に形成された空隙を遊技球が前記釘に誘導されて流下する弾球遊技機において、前記透明板に前記釘の頭部を移動不能に拘束する係止部を設けたことを特徴とする。
また、本発明は上記弾球遊技機において、係止部は釘の頭部に合致する窪孔であることを特徴とする。
また、本発明は上記弾球遊技機において、係止部は釘が貫通する貫通孔であることを特徴とする。
このため、釘調整ができなくなったり、釘調整をしたら直ぐに発見できるようになる。
また、本発明は上記弾球遊技機において、透明板は２層に設けられ、その内側の透明板に係止部を設けたことを特徴とする。
また、本発明は上記弾球遊技機において、内側の透明板の適宜個所にスリットを形成し、該長孔から球詰まりを解消させるための棒状体を挿し込み得るようにしたことを特徴とする。
このため、内側の透明板を開けなくても、遊技中に発生する遊技盤面上の球詰まりを解消し得る。
また、本発明は上記弾球遊技機において、透明板のズレを検知する手段を設けたことを特徴とする。
このため、釘調整をしたことが発見し易くなり、管理が容易になる。
また、本発明は上記弾球遊技機において、遊技盤面上に設けられた電動開閉入賞口、液晶表示装置、風車等の盤面部品を交換し得る開口を透明板に形成したことを特徴とする。
このため、盤面部品が故障したとき等に内側の透明板を開けることなく点検または交換し得るようになる。
【発明の効果】
【０００８】
本発明によれば、釘調整をできなくしたり、或いは釘調整がされていたら直ぐに発見できるようになることから、弾球遊技機を不当に改変することが防止されるとともに、弾球遊技機の管理、監督が容易になる。
【図面の簡単な説明】
【０００９】
【図１】本発明に係る弾球遊技機の遊技盤の要部の縦断面図。
【図２】本発明に係る弾球遊技機の遊技盤の要部の縦断面図。
【図３】本発明に係る弾球遊技機の遊技盤の要部の縦断面図。
【図４】本発明に係る弾球遊技機の遊技盤の正面図。
【発明を実施するための形態】
【００１０】
次に本発明の実施形態を図面に従い説明する。図１に示した実施形態は、遊技盤１に釘２が固植され、透明板３には（ａ）に示したように内面に予め球面状の窪孔３ａが形成され、（ｂ）に示したように該透明板３を閉じたとき該遊技盤１と該透明板３との間に遊技球４が流下する空隙５が形成されるとともに、前記釘２の頭部２ａが該窪孔３ａに合致することで、該釘２の頭部２ａが移動不能に拘束されるようにしている。このように釘２の頭部２ａが透明板３によって拘束されることにより、釘２を傾斜させるといった調整は一切できなくなり、無理に釘２を傾斜させると、頭部２ａと窪孔３ａとが合致しないので透明板３が閉じれなくなったり、正面から見て窪孔３ａと頭部２ａとがずれた状態となるので、釘調整の有無を直ぐに知見することができ検査が容易になる。なお、透明板３の外側には不正行為を防止するために２重に透明板６が配設される。
【００１１】
また、図２に示した実施形態は、遊技盤１に釘２が固植され、該遊技盤１の前面と相対する透明板３には（ａ）に示したように釘２の頭部２ａよりも少し小径の貫通状の窪孔３ｂが予め形成され、（ｂ）に示したように該透明板３を閉じたとき、釘２の頭部２ａが該窪孔３ｂに合致するようにすることで、該頭部２ａが移動不能に拘束されるようにしている。
なお、このように透明板３に頭部２ａを拘束する貫通状の窪孔３ｂを形成することによっては、正面から見て該窪孔３ｂと頭部２ａとのズレをより知見し易くするとともに、窪孔３ｂをドリルによる穴あけ加工によって形成し得るので、透明板３の製作が容易になる。
【００１２】
一方、図３に示した実施形態は、内側の透明板３に釘２が貫通する貫通孔３ｃを形成してなるもので、該貫通孔３ｃによって該釘２の頭部２ａが移動不能に拘束されるようにしている。このように釘２を透明板３に貫通させることによっても、釘２を傾斜させるといった調整をできなくすることができる。
ただし、この場合、内側の透明板３は開閉不能になるので、外側の透明板６だけを開閉可能にしてもよい。そして、図４に遊技盤１の正面を示したように、球詰まりが生じるおそれのある透明板３の適宜個所に長孔状のスリット７を形成し、遊技中に球詰まりが生じた場合は、外側の透明板６を開けてスリット７に適当な長さの棒状体を挿し込み、該スリット７に沿って該棒状体を動かすことにより、球詰まりを解消させる。このようにすることで、内側の透明板３は開閉できない構造としても支障はない。図４中、８は液晶表示装置、９は始動入賞口、１０は電動開閉入賞口、１１は大入賞口、１２は普通入賞口、１３は通過チャッカー、１４は風車を示す。
【００１３】
なお、本発明では、遊技盤１に固植された多数本の釘２について全部を調整不能に拘束しなくても、命釘と称されるような一部の釘を透明板３に係止し拘束するだけでも十分な効果がある。
また、必要に応じて前記風車１４を回転可能に軸支している釘１５についても、前記釘２と同様に内側の透明板３によって頭部を移動不能に拘束することができる。
なお、図４に示したように、遊技盤１の前面の周縁部に額縁状の隆起縁部１ａを形成し、該隆起縁部１ａに内側の透明板３の周囲を固着することにより、前記空隙５が形成されるようにし遊技盤１と透明板３とを一体的な構造にしてもよい。こうすることで、遊技機をリニューアルする必要が生じたときに、遊技盤１と透明板３とは一体的な物として同時に交換されるようになる。
【００１４】
また、透明板３の縁部にリミットスイッチまたは光センサ等からなるズレ検知手段を設け、透明板３のズレを該検知手段により検知されるようにすることによっては、仮に釘２が調整されると、該釘の頭部２ａが移動し、該頭部２ａが透明板３を本来あるべき正規の位置から左右または上下にずらすこととなるので、釘調整の有無をこれによって容易に発見することができるようになる。また、こうした遊技場に設置された多数の各パチンコ機にこのようなズレ検知手段を設け、その信号をホールコンピュータにより監視できるようにすることによっては、遊技場の全パチンコ機を一括管理することも可能となる。
また、図示しないが、透明板３に例えば電動開閉入賞口１０の正面視と同等または少し大きめの開口を形成し、該開口から該電動開閉入賞口１０を前方に引き出し得るようにすることにより、該電動開閉入賞口１０が故障した際に交換が容易になされるようにすることもできる。同様に、液晶表示装置８、始動入賞口９、大入賞口１１、普通入賞口１２、通過チャッカー１３、風車１４についても透明板３にそれぞれ適宜大きさの開口を形成することで、これらの盤面部品に何らかの故障が生じた際に該盤面部品を該開口を通して容易に点検または部品交換できるようになる。
【００１５】
以上のように本発明では、内側の透明板３に釘２の頭部２ａを移動不能に拘束する係止部を設けたので、釘調整をできなくしたり、或いは釘調整をしたら直ぐに発見できるようになり、不当な釘調整による弊害が除去されるとともに、弾球遊技機の管理、監督を容易にするなど有益な効果がある。
【符号の説明】
【００１６】
１            遊技盤
１ａ          隆起縁部
２            釘
２ａ          頭部
３            透明板
３ａ，３ｂ    窪孔（係止部）
３ｃ          貫通孔（係止部）
４            遊技球
５            空隙
６            透明板
７            スリット
８            液晶表示装置
９            始動入賞口
１０          電動開閉入賞口
１１          大入賞口
１２          普通入賞口
１３          通過チャッカー
１４          風車
【図１】
2017144042.tif 000003
【図２】
2017144042.tif 000004
【図３】
2017144042.tif 000005
【図４】
2017144042.tif 000006